(57)【要約】【課題】テレビジョン受像機において、復号できないチャンネルが選局された場合、復号できる別のチャンネルを自動的に選局し、ユーザの手間を軽減する。【解決手段】ＴＶ受像機は、チャンネルアップ／ダウンキーと、チューナ部と、画質情報取得部を有する制御用マイコンとを備える。画質情報取得部は、ＰＭＴ情報から画質情報と符号化情報とを取得する。チャンネルアップキーが操作されると（Ｓ１）、制御用マイコンは、現在選局されているチャンネルの次のチャンネルのデジタル放送信号を受信する（Ｓ２）。そして、受信した信号に含まれるＰＭＴ情報を取得した後（Ｓ３）、画質情報取得部を用いて、このチャンネルの画質情報及び符号化情報を取得する（Ｓ４）。制御用マイコンは、取得した画質情報と符号化情報に基づき、復号できないと判断したとき（Ｓ６でＮＯ）、さらに次のチャンネルを自動的に選局して（Ｓ１１）、上記Ｓ２以降の処理を繰り返す。【選択図】図４
2010283447.tif 000002
【特許請求の範囲】
【請求項１】
放送局から配信されるデジタル放送信号を受信する受信手段と、
前記受信手段によって受信されるデジタル放送信号のトランスポートストリームに含まれる番組ストリームを映像信号及び音声信号に復号する復号手段と、
ユーザによって操作され、各種動作指示を行うための操作手段と、
装置各部を制御する制御手段とを備えるテレビジョン受像機において、
前記トランスポートストリームから、前記番組ストリームの画質の種類を示す情報（以下、画質情報）を取得する画質情報取得手段と、
前記画質情報取得手段により取得した画質情報に基づき、前記復号手段を用いて前記番組ストリームを復号できるか否かを判断する復号可能判断手段とをさらに備え、
前記制御手段は、ユーザによって前記操作手段が操作され、現在選局されているチャンネル番号の次のチャンネル番号を選局する動作指示がされたときに、前記復号可能判断手段を用いて、前記画質情報取得手段によって取得した画質情報に基づき、前記次のチャンネル番号に対応するデジタル放送信号のトランスポートストリームに含まれる番組ストリームを復号できるか否かを判断し、この判断の結果、復号できない場合、前記復号可能判断手段を用いて前記次のチャンネル番号のさらに次のチャンネル番号に対応するデジタル放送信号のトランスポートストリームに含まれる番組ストリームを復号できるか否かを判断し、前記復号可能判断手段により、前記番組ストリームを復号できると判断されるまで、これらの処理を繰り返すことを特徴とするテレビジョン受像機。
【請求項２】
前記画質情報は、前記トランスポートストリーム内のＥＩＴ（Ｅｖｅｎｔ  Ｉｎｆｏｒｍａｔｉｏｎ  Ｔａｂｌｅ）情報、又はＰＭＴ（Ｐｒｏｇｒａｍ  Ｍａｐ  Ｔａｂｌｅ）情報に含まれ、
前記画質情報取得手段は、前記ＥＩＴ情報又は前記ＰＭＴ情報から前記画質情報を取得することを特徴とする請求項１に記載のテレビジョン受像機。
【発明の詳細な説明】
【技術分野】
【０００１】
本発明は、復号できないチャンネルをスキップするテレビジョン受像機に関する。
【背景技術】
【０００２】
近年、欧州の国によっては、デジタルテレビ放送として、符号化方式がＭＰＥＧ−２方式のＳＤ（Ｓｔａｎｄａｒｄ  Ｄｅｆｉｎｉｔｉｏｎ）画質のテレビ（以下、ＴＶという）番組と、符号化方式がＨ．２６４方式のＨＤ（Ｈｉｇｈ  Ｄｅｆｉｎｉｔｉｏｎ）画質のＴＶ番組とを配信している。ＨＤ放送の開始当初は、ＳＤ放送にのみ対応したＴＶ受像機が残っていることを考慮して、ＨＤ画質のＴＶ番組（ＨＤ放送）と、ＳＤ画質のＴＶ番組（ＳＤ放送）とを混在させて配信されることが多いと思われる。ところで、ＭＰＥＧ−２方式のＳＤ放送にのみ対応したＴＶ受像機がＨＤ放送のチャンネル（のデジタル放送信号）を受信した場合、映像を表示できないので、ユーザはＳＤ放送である他チャンネルに選局し直す操作を行う必要があるため使い勝手が悪い。
【０００３】
これに対して、特許文献１には、ＰＭＴ（Ｐｒｏｇｒａｍ  Ｍａｐ  Ｔａｂｌｅ）情報に基づいて休止チャンネルを予め見つけておき、チャンネル選択の際に、休止中のチャンネルをスキップするＴＶ受像機が開示されている。また、特許文献２には、チャンネルを選局する際に、デスクランブル可能な放送チャンネルを探し、デスクランブル可能な放送チャンネルを選局するＴＶ受像機が開示されている。しかしながら、これらのＴＶ受像機では、上記のＨＤ放送のデジタル放送信号を受信した場合における問題を解決できない。
【０００４】
ところで、特許文献３には、音声信号が無いチャンネルを未契約チャンネルとしてメモリに記憶しておき、チャンネルの選局操作の際に、記憶されている未契約チャンネルをスキップするＴＶ受像機が開示されている。また、特許文献４には、ＥＩＴ（Ｅｖｅｎｔ  Ｉｎｆｏｒｍａｔｉｏｎ  Ｔａｂｌｅ）情報に含まれる番組休止情報で示される番組が選局された場合に、番組休止情報に含まれるメッセージを表示可能なＴＶ受像機が開示されている。しかしながら、これらのＴＶ受像機であっても、上記問題を解決できない。
【先行技術文献】
【特許文献】
【０００５】
【特許文献１】特開２００８−１４１４３５号公報
【特許文献２】特開平０５−１２２６９３号公報
【特許文献３】特開２００５−２１７９５８号公報
【特許文献４】特開２００２−８４４７２号公報
【発明の概要】
【発明が解決しようとする課題】
【０００６】
本発明は、上述した問題点を解決するためになされたものであり、復号できないチャンネルが選局された場合であっても、復号できる別のチャンネルを自動的に選局することができ、ユーザの手間を軽減させることが可能なテレビジョン受像機を提供することを目的とする。
【課題を解決するための手段】
【０００７】
上記目的を達成するために請求項１の発明は、放送局から配信されるデジタル放送信号を受信する受信手段と、前記受信手段によって受信されるデジタル放送信号のトランスポートストリームに含まれる番組ストリームを映像信号及び音声信号に復号する復号手段と、ユーザによって操作され、各種動作指示を行うための操作手段と、装置各部を制御する制御手段とを備えるテレビジョン受像機において、前記トランスポートストリームから、前記番組ストリームの画質の種類を示す情報（以下、画質情報）を取得する画質情報取得手段と、前記画質情報取得手段により取得した画質情報に基づき、前記復号手段を用いて前記番組ストリームを復号できるか否かを判断する復号可能判断手段とをさらに備え、前記制御手段は、ユーザによって前記操作手段が操作され、現在選局されているチャンネル番号の次のチャンネル番号を選局する動作指示がされたときに、前記復号可能判断手段を用いて、前記画質情報取得手段によって取得した画質情報に基づき、前記次のチャンネル番号に対応するデジタル放送信号のトランスポートストリームに含まれる番組ストリームを復号できるか否かを判断し、この判断の結果、復号できない場合、前記復号可能判断手段を用いて前記次のチャンネル番号のさらに次のチャンネル番号に対応するデジタル放送信号のトランスポートストリームに含まれる番組ストリームを復号できるか否かを判断し、前記復号可能判断手段により、前記番組ストリームを復号できると判断されるまで、これらの処理を繰り返すものである。
【０００８】
請求項２に記載の発明は、請求項１に記載のテレビジョン受像機において、前記画質情報は、前記トランスポートストリーム内のＥＩＴ（Ｅｖｅｎｔ  Ｉｎｆｏｒｍａｔｉｏｎ  Ｔａｂｌｅ）情報、又はＰＭＴ（Ｐｒｏｇｒａｍ  Ｍａｐ  Ｔａｂｌｅ）情報に含まれ、前記画質情報取得手段は、前記ＥＩＴ情報又は前記ＰＭＴ情報から前記画質情報を取得するものである。
【発明の効果】
【０００９】
本発明によれば、現在選局されているチャンネル番号の次のチャンネル番号を選局する動作指示がされたときに、次のチャンネル番号に対応する番組ストリームを復号できない場合、次のチャンネル番号のさらに次のチャンネル番号に対応する番組ストリームを復号できるか否かを判断し、その番組ストリームを復号できると判断されるまで、これらの処理を繰り返す。そのため、確実に表示可能なチャンネル番号を自動的に選局することができるので、ユーザの手間を軽減することができる。
【図面の簡単な説明】
【００１０】
【図１】本発明の一実施形態にＴＶ受像機の斜視図。
【図２】上記ＴＶ受像機の概略構成を示すブロック図。
【図３】上記ＴＶ受像機を操作するリモコン装置の上面図。
【図４】上記ＴＶ受像機におけるチャンネルの選局処理の手順を示すフローチャート。
【図５】上記ＴＶ受像機におけるチャンネルの選局処理を説明する説明図。
【発明を実施するための最良の形態】
【００１１】
本発明の一実施形態に係るテレビジョン（以下、ＴＶという）受像機について、図１乃至図３を参照して説明する。図１は、リモコン装置（操作手段）２により操作されるＴＶ受像機１の外観を示し、図２は、ＴＶ受像機１の内部構成を示し、図３は、リモコン装置２の上面を示す。ＴＶ受像機１は、例えばＭＰＥＧ−２方式で符号化されたＳＤ画質のＴＶ番組（ＳＤ方法）のデジタル放送信号を受信して復号することによりＴＶ番組を再生表示する機器である。リモコン装置２は、ユーザにより操作され、ＴＶ受像機１に対して各種の動作指示を行うためのものである。
【００１２】
ＴＶ受像機１は、図２に示されるように、ＴＶ番組の映像を表示するディスプレイ１１と、ＴＶ番組の音声を出力するスピーカ１２と、放送局から配信されるデジタル放送信号を受信するチューナ部（受信手段）１３と、リモコン装置２から送信される操作信号を受信するリモコン信号受信部１４と、各種情報を記憶するためのメモリ１５と、装置各部を制御するための制御用マイコン（制御手段）１６とをさらに備える。
【００１３】
リモコン装置２は、図３に示すように、「０」乃至「９」の１０個の数字に対応する「０」〜「９」までの数字キー２１（２１ａ〜２１ｊの総称）と、入力した文字や数字を消去するクリアキー２２と、上下左右の各方向に操作可能な十字キー２３（２３ａ〜２３ｄの総称）と、各種入力を確定するための決定キー２４とを有する。また、リモコン装置２は、チャンネルの選局指示を行うためのチャンネルアップキー２５ａ及びチャンネルダウンキー２５ｂと、ＴＶ受像機１に対してユーザによる操作に応じた操作信号を送信するための信号送信部２０と、各種設定用のメニュー画面の表示を指示するためのメニュー表示ボタン２６とをさらに有する。
【００１４】
チューナ部１３は、例えばＭＰＥＧ−２方式で符号化されたＳＤ画質のＴＶ番組のデジタル放送信号を復号できるデコーダ（復号手段）１３ａを有し、放送局からＴＶ番組と、ＥＩＴ（Ｅｖｅｎｔ  Ｉｎｆｏｒｍａｔｉｏｎ  Ｔａｂｌｅ）情報と、ＰＭＴ（Ｐｒｏｇｒａｍ  Ｍａｐ  Ｔａｂｌｅ）情報等を受信して制御用マイコン１６に出力する。デコーダ１３ａは、デジタル放送信号のトランスポートストリームに含まれる番組ストリームを映像信号及び音声信号に復号する。ＥＩＴ情報及びＰＭＴ情報のそれぞれは、ＴＶ番組の番組情報を含むものである。番組情報には、ＴＶ番組のタイトル、開始時間、終了時間、ＳＤ画質やＨＤ画質等の画質の種類を示す画質情報、及びコーディック等の符号化情報等の情報が含まれている。
【００１５】
メモリ１５は、制御用マイコン１６を動作させるためのプログラム１５ａと、チャンネル情報１５ｂとを記憶する。チャンネル情報１５ｂは、チャンネルサーチによって取得した、デジタル放送波の各チャンネルに割当てられたチャンネル番号が記憶されている。
【００１６】
制御用マイコン１６は、映像出力部１６ａと、音声出力部１６ｂと、画質情報取得部（画質情報取得手段）１６ｃと、復号可能判断部（復号可能判断手段）１６ｄとを有する。
【００１７】
映像出力部１６ａは、チューナ部１３によって受信されたＴＶ番組の映像をディスプレイ１１に出力する。音声出力部１６ｂは、チューナ部１３によって受信されたＴＶ番組の音声をスピーカ１２に出力する。
【００１８】
画質情報取得部１６ｃは、チューナ部１３によって受信されたデジタル放送信号のトランスポートストリームに含まれるＥＩＴ情報又はＰＭＴ情報から、ＴＶ番組の画質を示す画質情報と符号化情報とを取得する。復号可能判断部１６ｄは、画質情報取得部１６ｃにより取得した画質情報及び符号化情報に基づき、デコーダ１３ａを用いてＴＶ番組を復号できるか否かを判断する。具体的には例えば、ＴＶ番組の画質がＳＤ画質であり、符号化方式がＭＰＥＧ−２方式である場合に、復号可能なＴＶ番組（チャンネル）であると判断する。
【００１９】
次に、ＴＶ受像機１によるＴＶ番組の選局処理について、図４に示すフローチャートを参照して説明する。ここでは、ユーザによって予め「６チャンネル」が選局されて、図５の左部に示される映像３１ａがディスプレイ１１に表示されているものとする。
【００２０】
まず、ユーザによってリモコン装置２のチャンネルアップキー２５ａが操作されると（Ｓ１）、制御用マイコン１６は、メモリ１５内のチャンネル情報１５ｂに基づき、チューナ部１３を用いて現在選局されている「６チャンネル」の次の（論理）チャンネルである「７チャンネル」を選局してデジタル放送信号を受信する（Ｓ２）。そして、制御用マイコン１６は、受信したデジタル放送信号のトランスポートストリームに含まれるＰＭＴ情報を取得した後（Ｓ３）、画質情報取得部１６ｃを用いて、このＰＭＴ情報から「７チャンネル」に対応するＴＶ番組の画質情報及び符号化情報を取得する（Ｓ４）。なお、上記Ｓ３においては、ＥＩＴ情報を取得し、上記Ｓ４において、取得したＥＩＴ情報に基づいてＴＶ番組の画質情報及び符号化情報を取得するものであってもよい。
【００２１】
そして、制御用マイコン１６は、上記Ｓ４で取得した画質情報と符号化情報に基づき、復号可能判断部１６ｄを用いて、「７チャンネル」に対応するデジタル放送信号のトランスポートストリームに含まれる番組ストリームを復号できるか否かを判断する（Ｓ５）。
【００２２】
上記Ｓ５の判断の結果、復号できる場合（Ｓ６でＹＥＳ）、制御用マイコン１６は、デコーダ１３ａを用いて「７チャンネル」の番組ストリームを映像信号及び音声信号に復号し（Ｓ７）、復号した映像信号に基づく映像を、映像出力部１６ａを用いてディスプレイ１１に表示させると共に、復号した音声信号に基づく音声を、音声出力部１６ｂを用いてスピーカ１２に出力させる（Ｓ８）。
【００２３】
一方、上記Ｓ５の判断の結果、復号できない場合（Ｓ６でＮＯ）、制御用マイコン１６は、チャンネル情報１５ｂに基づき、次のチャンネルである「８チャンネル」を自動的に選局して（Ｓ１１）、上記Ｓ２以降の処理を、上記Ｓ５の判断により復号できると判断されるまで繰り返す。なお、上記の例では、ユーザがチャンネルアップキー２５ａを操作する場合を示したが、これに限られず、チャンネルダウンキー２５ｂを操作してもよい。
【００２４】
次に、ディスプレイ１１に表示されるＴＶ番組の映像について、図５に示す説明図を参照して説明する。図５に示される３１ａ〜３１ｃは、ディスプレイ１１に表示されるＴＶ番組の映像を示す。ここでは、「６チャンネル」及び「８チャンネル」は、ＭＰＥＧ−２方式の符号化がなされたＳＤ画質のＴＶ番組を放送し、「７チャンネル」は、Ｈ．２６４方式の符号化がなされたＨＤ画質のＴＶ番組を放送しているものとする。
【００２５】
図５中の左側の映像３１ａに示すように、現在「６チャンネル」が選局されているときに、ユーザによってチャンネルアップキー２５ａが操作されると、制御用マイコンは「７チャンネル」を選局して、このＴＶ番組を復号可能か否か判断する。ここでは「７チャンネル」がＨＤ画質のＴＶ番組であるため、図５の映像３１ｂの表示は行われずに、さらに次のチャンネルである「８チャンネル」が自動的に選局される。
【００２６】
そして、制御用マイコン１６は、「８チャンネル」のＴＶ番組を復号可能か否か判断する。ここでは「８チャンネル」が、ＭＰＥＧ−２方式の符号化がなされたＳＤ画質のＴＶ番組であるので、図５中の右側に示す映像３１ｃをディスプレイ１１に表示する。従って、「６チャンネル」が選局されているときに、ユーザによってチャンネルアップキー２５ａが操作されると、制御用マイコン１６は、「７チャンネル」をスキップして、「８チャンネル」の映像３１ｃをディスプレイ１１に表示する。なお、「８チャンネル」は音声信号のみを配信するラジオ放送であってもよい。
【００２７】
上述したように、本実施形態に係るＴＶ受像機１においては、制御用マイコン１６は、ユーザによってチャンネルアップキー２５ａ又はチャンネルダウンキー２５ｂが操作されたときに、画像情報と符号化情報に基づいて、次のチャンネル番号に対応する番組ストリームを復号できるか否か判断する。この判断の結果、復号できない場合、次のチャンネル番号のさらに次のチャンネル番号に対応する番組ストリームを復号できるか否かを判断し、番組ストリームを復号できると判断されるまでこれらの処理を繰り返す。そのため、制御用マイコン１６は、確実に表示可能なチャンネル番号を自動的に選局することができるので、ユーザの手間を軽減することができる。
【００２８】
なお、本発明は、上記実施形態の構成に限られず、発明の趣旨を変更しない範囲で種々の変形が可能である。例えば、ＴＶ受像機が復号可能な符号化方式はＭＰＥＧ−２方式に限られず、任意の符号化方式であってもよい。
【符号の説明】
【００２９】
１  ＴＶ受像機（テレビジョン受像機）
２  リモコン装置（操作手段）
１３  チューナ部（受信手段）
１３ａ  デコーダ（復号手段）
１６  制御用マイコン（制御手段）
１６ｃ  画質情報取得部（画質情報取得手段）
１６ｄ  復号可能判断部（復号可能判断手段）
【図１】
2010283447.tif 000003
【図２】
2010283447.tif 000004
【図３】
2010283447.tif 000005
【図４】
2010283447.tif 000006
【図５】
2010283447.tif 000007